(57)【要約】【課題】車両がどのようなユーザによってどのように使用されているかを把握し、車両の開発を支援すること。【解決手段】ナビゲーション装置２、通信系３、ワイパー４、認証装置５、車速測定装置６、車両制御系７の出力をもとに、車両の運転者の特定、道路や天候の情報、車両の速度、走行距離、走行地点、操作状態をなどを取得して車両開発用データ１１ａとして記憶部１１に記憶し、通信系３に含まれるセンタ通信装置３２や路車間通信装置３３を用いてセンタに送信することで、センタは車両の運転者や使用態様に関する情報を収集し、メーカによる新車両の開発に供する。【選択図】        図２
2006036132.tif 000002
【特許請求の範囲】
【請求項１】
車両に関する情報を管理する車両情報管理装置であって、
車両の開発に用いる車両開発用データを取得する車両開発用データ取得手段と、
前記車両開発用データを記憶する記憶手段と、
前記車両開発用データを所定の送信先に送信する送信手段と、
を備えたことを特徴とする車両情報管理装置。
【請求項２】
前記車両開発用データは、エンジンの動作状態、ステアリングの操作状態、ブレーキの動作状態、変速機構の動作状態のうちいずれかを少なくとも含むことを特徴とする請求項１に記載の車両情報管理装置。
【請求項３】
前記車両開発用データは、前記車両が走行した場所を示す地図情報を含むことを特徴とする請求項１または２に記載の車両情報管理装置。
【請求項４】
前記車両開発用データは、車両の所有者および／または車両の運転者の情報を含むことを特徴とする請求項１，２または３に記載の車両情報管理装置。
【請求項５】
前記車両開発用データは、前記車両の走行距離および／または走行速度を含むことを特徴とする請求項１〜４のいずれか一つに記載の車両情報管理装置。
【請求項６】
前記車両開発用データは、車両周辺の道路状況を含むことを特徴とする請求項１〜５のいずれか一つに記載の車両情報管理装置。
【請求項７】
前記車両開発用データは、天候の情報を含むことを特徴とする請求項１〜６のいずれか一つに記載の車両情報管理装置。
【請求項８】
前記車両開発用データ取得手段は、所定の条件が満たされた場合に前記車両開発用データを取得することを特徴とする請求項１〜７のいずれか一つに記載の車両情報管理装置。
【請求項９】
前記車両開発用データ取得手段は、特定の場所で前記車両開発用データを取得することを特徴とする請求項８に記載の車両情報管理装置。
【請求項１０】
前記車両開発用データ取得手段は、外部からデータ取得の要請を受信した場合に前記車両開発用データを取得することを特徴とする請求項８または９に記載の車両情報管理装置。
【請求項１１】
前記車両開発用データ取得手段は、天候が所定の条件を満たした場合に前記車両開発用データを取得することを特徴とする請求項８，９または１０に記載の車両情報管理装置。
【請求項１２】
前記車両開発用データ取得手段は、車両の走行開始から走行終了までのデータを取得することを特徴とする請求項８〜１１のいずれか一つに記載の車両情報管理装置。
【請求項１３】
車両に関する情報を管理する車両情報管理システムであって、
車両の開発に用いる車両開発用データを取得する車両開発用データ取得手段と、
前記車両開発用データを記憶する記憶手段と、
前記車両開発用データを所定の送信先に送信する送信手段と、
を備えたことを特徴とする車両情報管理システム。
【請求項１４】
車両に関する情報を管理する車両情報管理方法であって、
車両の開発に用いる車両開発用データを取得する車両開発用データ取得工程と、
前記車両開発用データを記憶する記憶工程と、
前記車両開発用データを所定の送信先に送信する送信工程と、
を含んだことを特徴とする車両情報管理方法。
【発明の詳細な説明】
【技術分野】
【０００１】
この発明は、車両に関する情報を管理する車両情報管理装置、車両情報管理システムおよび車両情報管理方法に関し、特に車両の開発に用いる車両開発用データを取得・管理する車両情報管理装置、車両情報管理システム、車両情報管理方法に関する。
【背景技術】
【０００２】
従来、車両の走行に関する情報を自動的に収集する装置が考案されてきた。たとえは、特許文献１は、走行中における車両の情報を自動的に取得して記憶する車載用のクルージングレコーダを開示している。また、特許文献２は、車両の走行環境情報を情報センタ等の所定場所に送信する走行環境情報収集装置を開示している。
【０００３】
さらに、特許文献３は、車両各部の動作データを記録し、故障診断や事故原因の究明に利用する車両用ドライブレコーダを開示しており、特許文献４は、車両の動態管理システムおよび動態管理方法を開示している。さらに、特許文献５は、車両データを基に運転者の運転傾向を把握する技術を開示している。
【０００４】
【特許文献１】特開平１０−１９４１６７号公報
【特許文献２】特開２０００−１２３２８９号公報
【特許文献３】特開２００１−２６６１９９号公報
【特許文献４】特開２００３−１５７４９０号公報
【特許文献５】特開２００１−２６２８７号公報
【発明の開示】
【発明が解決しようとする課題】
【０００５】
このように、走行の安全性の確保や事故原因の究明、車両を運転者に適応させることを目的とした車両ごとの情報収集や、その時点での交通状態を把握するための全体的な情報収集については様々な技術が考案されている。
【０００６】
ところで、新しい車両を開発する場合には、購入者のニーズを的確に把握することが重要である。したがって、新車両の開発時には予めターゲットとなる購入者像を想定し、どのような使用を目的に購入するかを予想して、その購買意欲を喚起するコンセプトを設定することが重要な作業となる。
【０００７】
例えば、「買い物の足代わりになる車」というコンセプトを設定したならば、小型で、旋回半径が小さく、収納スペースが大きく、かつ低価格であること、が求められる。一方で、エンジンの排気量はさほど大きい必要はなく、また、燃料タンクもある程度小さくてよい。また、足回りについても柔らかめのセッティングが好適となる。
【０００８】
このコンセプトは、車両の性能のみならず、車体のデザイン、カラーリングや内装、さらには広告媒体の選択や広告内容にも影響を及ぼす。
【０００９】
しかし、一旦販売された車両は、必ずしもコンセプトに沿った購買層にのみ購入されるものではない。たとえば、「買い物の足代わりになる車」をコンセプトに設計・販売した車両が、軽量で取り回しが良い点を評価され、スポーティな走行を求めるユーザによって購入されることがある。このような場合は、スポーティな走行を求める購入者をターゲットとして次の車両の開発を行う必要がある。
【００１０】
しかしながら、従来、一旦販売された車がどのようなユーザによって、どのように使用されているかは、たとえば購入者の性別と年齢程度の情報によって推測することしかできず、適切な開発を行うことが難しいという問題点があった。特に、運転者（使用者）と購入者（所有者）が異なる場合も多く、この問題が一層顕著となっていた。
【００１１】
そこで、車両がどのようなユーザによってどのように使用されているかを把握することが、車両開発の上で重要な課題であった。
【００１２】
この発明は、上述した従来技術における問題点を解消し、課題を解決するためになされたものであり、車両開発用のデータを収集して車両開発を効率化することのできる車両情報管理装置、車両情報管理システムおよび車両情報管理方法を提供することを目的とする。
【課題を解決するための手段】
【００１３】
上述した課題を解決し、目的を達成するため、請求項１の発明に係る車両情報管理装置は、車両に関する情報を管理する車両情報管理装置であって、車両の開発に用いる車両開発用データを取得する車両開発用データ取得手段と、前記車両開発用データを記憶する記憶手段と、前記車両開発用データを所定の送信先に送信する送信手段と、を備えたことを特徴とする。
【００１４】
この請求項１の発明によれば車両情報管理装置は、車両の開発に用いる車両開発用データを取得して記憶し、車両開発用データを所定の送信先に送信する。
【００１５】
また、請求項２の発明に係る車両情報管理装置は、請求項１の発明において、前記車両開発用データは、エンジンの動作状態、ステアリングの操作状態、ブレーキの動作状態、変速機構の動作状態のうちいずれかを少なくとも含むことを特徴とする。
【００１６】
この請求項２の発明によれば車両情報管理装置は、エンジンの動作状態、ステアリングの操作状態、ブレーキの動作状態、変速機構の動作状態などを車両開発用データとして取得・記憶し、車両開発用データを所定の送信先に送信する。
【００１７】
また、請求項３の発明に係る車両情報管理装置は、請求項１または２の発明において、前記車両開発用データは、前記車両が走行した場所を示す地図情報を含むことを特徴とする。
【００１８】
この請求項３の発明によれば車両情報管理装置は、車両が走行した場所の地図情報などを車両開発用データとして取得・記憶し、所定の送信先に送信する。
【００１９】
また、請求項４の発明に係る車両情報管理装置は、請求項１，２または３の発明において、前記車両開発用データは、車両の所有者および／または車両の運転者の情報を含むことを特徴とする。
【００２０】
この請求項４の発明によれば車両情報管理装置は、車両の所有者や運転者に関する情報を車両開発用データとして取得・記憶し、所定の送信先に送信する。
【００２１】
また、請求項５の発明に係る車両情報管理装置は、請求項１〜４のいずれか一つの発明において、前記車両開発用データは、前記車両の走行距離および／または走行速度を含むことを特徴とする。
【００２２】
この請求項５の発明によれば車両情報管理装置は、車両の走行距離や走行速度を車両開発用データとして取得・記憶し、所定の送信先に送信する。
【００２３】
また、請求項６の発明に係る車両情報管理装置は、請求項１〜５のいずれか一つの発明において、前記車両開発用データは、車両周辺の道路状況を含むことを特徴とする。
【００２４】
この請求項６の発明によれば車両情報管理装置は、車両周辺の道路状況を車両開発用データとして取得・記憶し、所定の送信先に送信する。
【００２５】
また、請求項７の発明に係る車両情報管理装置は、請求項１〜６のいずれか一つの発明において、前記車両開発用データは、天候の情報を含むことを特徴とする。
【００２６】
この請求項７の発明によれば車両情報管理装置は、天候の情報を車両開発用データとして取得・記憶し、所定の送信先に送信する。
【００２７】
また、請求項８の発明に係る車両情報管理装置は、請求項１〜７のいずれか一つの発明において、前記車両開発用データ取得手段は、所定の条件が満たされた場合に前記車両開発用データを取得することを特徴とする。
【００２８】
この請求項８の発明によれば車両情報管理装置は、所定の条件が満たされた場合に車両の開発に用いる車両開発用データを取得して記憶し、車両開発用データを所定の送信先に送信する。
【００２９】
また、請求項９の発明に係る車両情報管理装置は、請求項８の発明において、前記車両開発用データ取得手段は、特定の場所で前記車両開発用データを取得することを特徴とする。
【００３０】
この請求項９の発明によれば車両情報管理装置は、特定の場所で車両の開発に用いる車両開発用データを取得して記憶し、車両開発用データを所定の送信先に送信する。
【００３１】
また、請求項１０の発明に係る車両情報管理装置は、請求項８または９の発明において、前記車両開発用データ取得手段は、外部からデータ取得の要請を受信した場合に前記車両開発用データを取得することを特徴とする。
【００３２】
この請求項１０の発明によれば車両情報管理装置は、外部からデータ取得の要請を受信した場合に車両の開発に用いる車両開発用データを取得して記憶し、車両開発用データを所定の送信先に送信する。
【００３３】
また、請求項１１の発明に係る車両情報管理装置は、請求項８，９または１０の発明において、前記車両開発用データ取得手段は、天候が所定の条件を満たした場合に前記車両開発用データを取得することを特徴とする。
【００３４】
この請求項１１の発明によれば車両情報管理装置は、天候が所定の条件を満たした場合に車両の開発に用いる車両開発用データを取得して記憶し、車両開発用データを所定の送信先に送信する。
【００３５】
また、請求項１２の発明に係る車両情報管理装置は、請求項８〜１１のいずれか一つの発明において、前記車両開発用データ取得手段は、車両の走行開始から走行終了までのデータを取得することを特徴とする。
【００３６】
この請求項１２の発明によれば車両情報管理装置は、車両の走行開始から走行終了までのデータを取得して記憶し、所定の送信先に送信する。
【００３７】
また、請求項１３の発明に係る車両情報管理システムは、車両に関する情報を管理する車両情報管理システムであって、車両の開発に用いる車両開発用データを取得する車両開発用データ取得手段と、前記車両開発用データを記憶する記憶手段と、前記車両開発用データを所定の送信先に送信する送信手段と、を備えたことを特徴とする。
【００３８】
この請求項１３の発明によれば車両情報管理システムは、車両の開発に用いる車両開発用データを取得して記憶し、車両開発用データを所定の送信先に送信する。
【００３９】
また、請求項１４の発明に係る車両情報管理方法は、車両に関する情報を管理する車両情報管理方法であって、車両の開発に用いる車両開発用データを取得する車両開発用データ取得工程と、前記車両開発用データを記憶する記憶工程と、前記車両開発用データを所定の送信先に送信する送信工程と、を含んだことを特徴とする。
【００４０】
この請求項１４の発明によれば車両情報管理方法は、車両の開発に用いる車両開発用データを取得して記憶し、車両開発用データを所定の送信先に送信する。
【発明の効果】
【００４１】
請求項１の発明によれば車両情報管理装置は、車両の開発に用いる車両開発用データを取得して記憶し、車両開発用データを所定の送信先に送信するので、車両がどのようなユーザによってどのように使用されているかを把握し、車両開発を効率化することのできる車両情報管理装置を得ることができるという効果を奏する。
【００４２】
また、請求項２の発明によれば車両情報管理装置は、エンジンの動作状態、ステアリングの操作状態、ブレーキの動作状態、変速機構の動作状態などを車両開発用データとして取得・記憶し、車両開発用データを所定の送信先に送信するので、車両がどのように使用されているかを把握し、使用態様に適応した車両開発を支援することのできる車両情報管理装置を得ることができるという効果を奏する。
【００４３】
また、請求項３の発明によれば車両情報管理装置は、車両が走行した場所の地図情報などを車両開発用データとして取得・記憶し、所定の送信先に送信するので、車両がどのような場所で使用されているかを把握し、車両開発を支援することのできる車両情報管理装置を得ることができるという効果を奏する。
【００４４】
また、請求項４の発明によれば車両情報管理装置は、車両の所有者や運転者に関する情報を車両開発用データとして取得・記憶し、所定の送信先に送信するので、車両がどのようなユーザによって使用されているかを把握し、車両開発を支援することのできる車両情報管理装置を得ることができるという効果を奏する。
【００４５】
また、請求項５の発明によれば車両情報管理装置は、車両の走行距離や走行速度を車両開発用データとして取得・記憶し、所定の送信先に送信するので、車両がどのように使用されているかを把握し、車両開発を支援することのできる車両情報管理装置を得ることができるという効果を奏する。
【００４６】
また、請求項６の発明によれば車両情報管理装置は、車両周辺の道路状況を車両開発用データとして取得・記憶し、所定の送信先に送信するので、車両がどのような道路状況で使用されているかを把握し、車両開発を支援することのできる車両情報管理装置を得ることができるという効果を奏する。
【００４７】
また、請求項７の発明によれば車両情報管理装置は、天候の情報を車両開発用データとして取得・記憶し、所定の送信先に送信するので、車両がどのような天候の場合に使用されているかを把握し、車両開発を支援することのできる車両情報管理装置を得ることができるという効果を奏する。
【００４８】
また、請求項８の発明によれば車両情報管理装置は、所定の条件が満たされた場合に車両の開発に用いる車両開発用データを取得して記憶し、車両開発用データを所定の送信先に送信するので、車両開発データを効率的に収集し、車両開発を支援することのできる車両情報管理装置を得ることができるという効果を奏する。
【００４９】
また、請求項９の発明によれば車両情報管理装置は、特定の場所で車両の開発に用いる車両開発用データを取得して記憶し、車両開発用データを所定の送信先に送信するので、特定の場所における各車両の走行状態を把握し、もって車両開発を支援することのできる車両情報管理装置を得ることができるという効果を奏する。
【００５０】
また、請求項１０の発明によれば車両情報管理装置は、外部からデータ取得の要請を受信した場合に車両の開発に用いる車両開発用データを取得して記憶し、車両開発用データを所定の送信先に送信するので、必要に応じて車両開発用データを収集し、もって車両開発を支援することのできる車両情報管理装置を得ることができるという効果を奏する。
【００５１】
また、請求項１１の発明によれば車両情報管理装置は、天候が所定の条件を満たした場合に車両の開発に用いる車両開発用データを取得して記憶し、車両開発用データを所定の送信先に送信するので、車両開発に有用な情報を選択的に取得し、車両開発を効率的に支援可能な車両情報管理装置を得ることができるという効果を奏する。
【００５２】
また、請求項１２の発明によれば車両情報管理装置は、車両の走行開始から走行終了までのデータを取得して記憶し、所定の送信先に送信するので、車両の走行状態を全体的に把握し、もって車両開発を支援する車両情報管理装置を得ることができるという効果を奏する。
【００５３】
また、請求項１３の発明によれば車両情報管理システムは、車両の開発に用いる車両開発用データを取得して記憶し、車両開発用データを所定の送信先に送信するので、車両がどのようなユーザによってどのように使用されているかを把握し、車両開発を効率化することのできる車両情報管理システムを得ることができるという効果を奏する。
【００５４】
また、請求項１４の発明によれば車両情報管理方法は、車両の開発に用いる車両開発用データを取得して記憶し、車両開発用データを所定の送信先に送信するので、車両がどのようなユーザによってどのように使用されているかを把握し、車両開発を効率化することのできる車両情報管理方法を得ることができるという効果を奏する。
【発明を実施するための最良の形態】
【００５５】
以下に添付図面を参照して、この発明に係る車両情報管理装置、車両情報管理システムおよび車両情報管理方法の好適な実施例について詳細に説明する。
【実施例】
【００５６】
まず、本発明にかかる車両情報管理方法について、図１を参照して説明する。同図では、車両が位置Ｃ０から位置Ｃ１まで走行する間に車両開発用データを作成し、車両開発用データを収集するセンタとして機能するサーバＳ１に送信する。そして、サーバＳ１は、車両から取得した車両開発用データをメーカＭ１に送信し、メーカＭ１は、この車両開発用データを新たな車両の開発に利用する。
【００５７】
この車両に搭載する車両情報管理装置の具体的な構成例を図２に示す。同図では車両情報管理装置１は、ナビゲーション装置２、通信系３、ワイパー４、認証装置５、車速測定装置６、車両制御系７と接続している。
【００５８】
通信系３は、車両外部との通信を行なう装置群であり、ＧＰＳ通信装置３１、センタ通信装置３２、路車間通信装置３３などを含む。ＧＰＳ通信装置３１は、ＧＰＳ（Global Positioning System）人工衛星と通信し、自車両の位置を特定する装置である。また、センタ通信装置３２は、インターネットなどのネットワークを介してセンタと通信する装置である。さらに、路車間通信装置３３は、路面に設置した路側通信装置と通信する装置である。
【００５９】
ナビゲーション装置２は、ＧＰＳ通信装置３１が特定した自車両の位置情報と地図データ２ａとを利用し、走行経路の設定および誘導を行う車載装置である。また、ナビゲーション装置２は、自車両周辺の地図情報を車両情報管理装置１に送出する。
【００６０】
ワイパー４は、雨天時にユーザの視界を確保する装置である。また、認証装置５は、自車両の運転者を判別して認証する装置であり、具体的には、イグニッションキーの識別や遠隔操作端末との通信、車内カメラによる画像処理などを用いてユーザの認証を実行する。さらに、車速測定装置６は、自車両の走行速度を測定する装置である。車速測定装置６が測定した速度情報は、スピードメータによる表示に使用するとともに、車両情報管理装置１に送出される。
【００６１】
車両制御系７は、車両の走行、運転に関わる装置群であり、エンジン（動力装置）７１、ステアリング（操舵装置）７２、ブレーキ（減速装置）７３、シフト（変速装置）７４などを含む。
【００６２】
そして、車両制御系７は、これらの装置の動作によって車両を走行させるとともに、その動作状態を車両情報管理装置１に送出する。なお、エンジン７１はアクセルペダルによって、ステアリング７２はハンドルによって、ブレーキ７３はブレーキペダルによって、シフト７４はシフトレバーによって、それぞれユーザからの操作を受け付ける。このユーザからの操作状態を車両制御系の動作状態に代えて、もしくは動作状態とともに車両情報管理装置１に送出しても良い。
【００６３】
車両情報管理装置１は、その内部に車両開発用データ管理部１０、記憶部１１、地図情報取得部１２、天候情報取得部１３、ユーザ認証部１４および操作状態取得部１５を有する。
【００６４】
地図情報取得部１２は、ナビゲーション装置２から自車両周辺の地図情報を取得し、車両開発用データ管理部１０に送出する。天候情報取得部１３は、センタ通信装置３２や路車間通信装置３３から、現在位置での天候を取得する。また、ワイパー４が動作している場合には天候が雨であると推定する。さらに、天候情報取得部１３は、取得した天候情報を車両開発用データ管理部１０に送出する。
【００６５】
ユーザ認証部１４は、認証装置５の出力から自車両の現在の運転者を特定し、車両開発用データ管理部１０に送出する。また、操作状態取得部１５は、車速測定装置６および車両制御系７の出力から車両の操作状態を取得して車両開発用データ管理部１０に送出する。
【００６６】
車両開発用データ管理部１０は、地図情報取得部１２、天候情報取得部１３、ユーザ認証部１４および操作状態取得部１５から取得した情報を車両開発用データ１１ａとして記憶部１１に記憶し、また、センタ通信装置３２を用いてセンタに送信する。
【００６７】
この車両情報開発用データ１１ａの具体例を図３に示す。同図では、車両開発用データ１１ａは、「車両情報」、「所有者情報」、「地図情報」、「運転者情報」、「操作状態情報」、「走行距離情報」などの項目を有する。
【００６８】
具体的には、「車両情報」は、自車両の車種や排気量、形式などの情報であり、「所有者情報」は、車両の所有者の年齢、性別、職業などの情報である。また「地図情報」は、走行した、もしくは走行中である道路の形状、路幅、曲率などの情報であり、「運転者情報」は自車両を運転した、もしくは運転中である人物の年齢、性別、職業などの情報である。
【００６９】
そして、「操作状態情報」は、エンジン、ステアリング、変速機などの操作状態や車両の走行速度などの情報であり、「走行距離情報」は、１トリップ、すなわち、走行開始から走行終了までに走行した距離を示す情報である。なお、１トリップは具体的には、エンジン始動からエンジン停止までや、イグニッションキーが挿入されてから排出されるまで、などとすることが好適である。
【００７０】
ここで、「運転者情報」、「操作状態情報」、「走行距離情報」などの情報は、自車両が適宜取得する必要がある。しかし、「車両情報」、「所有者情報」などは固定的で変動の少ない情報であるので、これらの情報はセンタやメーカ側で管理し、車両からは自車両を特定するデータを送信し、センタやメーカが車両情報や所有者情報を判別するよう構成してもよい。この場合、「車両情報」や「所有者情報」を車両側で記憶する必要はない。
【００７１】
また、「地図情報」については、例えば自車両が現在位置を送信してセンタやメーカで道路形状を取得するようにしてもよいし、路側通信装置を介して車両開発用データを送信し、路側通信装置が地図情報を付与するように構成してもよい。
【００７２】
このように車両開発用データを車両側で収集し、センタに送信することで、メーカはセンタから取得した情報に基づいて車両開発を行うことができる。例えば、運転者情報から、その車両を実際に運転する人物の年齢、性別などを取得することができる。また、地図情報、操作状態情報、走行距離情報から、どのような道路をどのように走行する傾向があるか、すなわち、どのような目的で車両を使用しているか、を判断することができる。
【００７３】
すなわち、買い物などの利用が多い場合には「１トリップの走行距離が小さく、走行速度やエンジン回転数は低め、走行場所は市街地」などの傾向が現われ、ドライブやスポーティな走行が多い場合には、「１トリップの走行距離が大きく、走行速度やエンジン回転数が高め、走行場所は郊外」などの傾向が現われる。
【００７４】
そこで、例えば運転者が「３０代の女性」で運転の傾向が「１トリップの走行距離が小さく、走行速度やエンジン回転数は低め、走行場所は市街地」であるならば、メーカはこれに適応したコンセプト、具体的には「買い物の足代わりになる車」などを設定し、小型化、旋回半径の縮小、収納スペースの確保を目的とした車両開発を行うとともに、車体のデザイン、カラーリングや内装、さらには広告媒体をターゲットとなる購買者層（３０代の女性）に適応させることができる。
【００７５】
同様に、運転者が「２０代の男性」で運転の傾向が「１トリップの走行距離が大きく、走行速度やエンジン回転数が高め、走行場所は郊外」であるならば、メーカはこれに適応したコンセプト、具体的には「軽快な走行を楽しめる車」などを設定し、排気量の大型化、スポーツサスペンションの採用などを盛り込んで次の車両の開発を行うとともに、車体のデザイン、カラーリングや内装、さらには広告媒体をターゲットとなる購買者層（２０代の男性）に適応させることができる。
【００７６】
そのため、販売された車両がどのようなユーザによってどのように使用されているかを正確に把握し、車両開発の効率化を支援することができるのである。
【００７７】
つぎに、車両開発用データの収集タイミングについて説明する。車両開発用データは、車両の走行中に常に取得してもよいし、特定の場所などで選択的に取得してもよい。また、これらを組み合わせて使用してもよい。ここで、１トリップの走行距離や平均走行速度などの情報を取得する場合には、走行中に常に取得することが好適であり、特定の状態における操作状態などを取得する場合には予め定めた場所で取得することが好適である。
【００７８】
また、取得した車両開発用データをセンタに送信するタイミングは、車両走行データか取得できた時点で髄時送信することとしてもよいし、車両走行開始時や車両走行終了時、他の目的でセンタに通信する必要が発生した場合などにセンタに送信してもよい。
【００７９】
つぎに、車両開発用データの取得の具体例を説明する。図４は車両開発用データ取得の具体例を説明する説明図である。同図では、道路Ｒ０のカーブに路側通信装置Ｒ１，Ｒ２を設置している。
【００８０】
そして、車両は路側通信装置Ｒ１から車両開発用データの取得を要請された（位置Ｃ１０に到達した）場合に車両開発用データの取得を開始し、路側通信装置Ｒ２から車両開発用データの送信を要請された（位置Ｃ１１に到達した）場合に車両開発用データの取得を終了して取得したデータを路側通信装置Ｒ２に送信する。
【００８１】
その後、路側通信装置Ｒ２は、車両から取得した車両開発用データをサーバＳ１に送信する。したがって、路側通信装置Ｒ１，Ｒ２は道路Ｒ０を走行する各車両から順次車両開発用データを取得し、サーバＳ１に送信することとなる。
【００８２】
つまりこの構成では、道路Ｒ０を各車両がどのように走行するか（カーブへの進入速度や進入角度、ブレーキングのタイミングや強さ、ハンドルを切るタイミングや切り角、エンジンの回転数や変速装置の状態、など）を車両開発用データとして取得することができる。
【００８３】
この場合の処理動作を図５のフローチャートを参照して説明する。路側通信装置Ｒ１，Ｒ２は、道路Ｒ０を走行する車両を監視しており、車両を検出した場合に同図に示す処理フローを開始する。
【００８４】
まず、路側通信装置Ｒ１が道路Ｒ０を走行する車両を検出し（ステップＳ１０１）、車両に対してデータ取得要求を送信する（ステップＳ１０２）。
【００８５】
車両側は、路車間通信装置３３によってこのデータ取得要求を受信し（ステップＳ２０１）、操作状態、すなわち車速測定装置６や車両制御系７が出力する情報の記録を開始する（ステップＳ２０２）。
【００８６】
つぎに、路側通信装置Ｒ２が車両を検出し、車両に対してデータの送信要求を送信する（ステップＳ１０３）。車両は、このデータ送信要求を受信したならば（ステップＳ２０３）、操作状態の記録と、運転者情報などを関連付けて車両開発用データとして送信し（ステップＳ２０４）、処理を終了する。
【００８７】
そして、路側通信装置Ｒ２は、車両開発用データを受信し（ステップＳ１０４）、受信した車両開発用データを道路形状と関連付けてサーバＳ１に送信して（ステップＳ１０５）、処理を終了する。
【００８８】
なお、本処理フローでは道路Ｒ０に関する情報を路側通信装置Ｒ２が付与することとしている。これは、路側通信装置を用いて特定地点での操作状態を取得するならば、路側通信装置が道路情報（道路の形状、路幅、曲率など）を管理することで、詳細な道路情報を利用でき、かつ車両側の記録に要する容量や通信にかかる負荷を削減することができるためである。
【００８９】
ところで、雨天時や渋滞時の走行速度や操作状態に関する情報は、車両開発における利用価値が低い。そこで、運転時や渋滞時には、車両開発用データの取得・送信を行わず、記録容量や通信負荷の削減を行ってもよい。
【００９０】
また、天候情報や渋滞の有無などの道路状況を示す情報を、車両開発用データに含めて取得・送信することとしてもよい。
【００９１】
具体的には、天候が雨であるか否かの判定は、天候情報取得部１３の出力から判定することが可能である。また、渋滞中であるか否かの判定は、ナビゲーション装置２、通信系３、車速測定装置６などの出力から判定することが可能である。
【００９２】
上述してきたように、本実施例にかかる車両情報管理装置は、車両の走行中に車両開発用データを取得してサーバに送信するので、販売された車両がどのようなユーザによってどのように使用されているかを正確に把握し、車両開発の効率化を支援することができる。
【産業上の利用可能性】
【００９３】
以上のように、本発明にかかる車両情報管理装置は、車両に関する情報の収集に有用であり、特に車両開発を支援するための情報収集に適している。
【図面の簡単な説明】
【００９４】
【図１】本発明にかかる車両情報管理方法について説明する説明図である。
【図２】本発明の実施例にかかる車両情報管理装置の概要構成を示す概要構成図である。
【図３】図１に示した車両開発用データについて説明する説明図である。
【図４】車両開発用データ取得の具体例を説明する説明図である。
【図５】車両開発用データ取得における処理動作を説明するフローチャートである。
【符号の説明】
【００９５】
１    車両情報管理装置
２    ナビゲーション装置
２ａ  地図データ
３    通信系
４    ワイパー
５    認証装置
６    車速測定装置
７    車両制御系
１０    車両開発用データ管理部
１１    記憶部
１１ａ  車両開発用データ
１２    地図情報取得部
１３    天候情報取得部
１４    ユーザ認証部
１５    操作状態取得部
Ｓ１    サーバ
Ｍ１    メーカ
Ｒ０    道路
Ｒ１，２  路側通信装置
【図１】
2006036132.tif 000003
【図２】
2006036132.tif 000004
【図３】
2006036132.tif 000005
【図４】
2006036132.tif 000006
【図５】
2006036132.tif 000007